(57)【特許請求の範囲】
【請求項１】
電動送風機を内蔵する本体と、一端が前記本体に接続されるホースと、前記ホースの他端に設けられた手元握りパイプと、前記手元握りパイプに接続される吸引管と、前記吸引管の一端に接続される接続パイプ、前記接続パイプを後方に傾動自在に取り付けた床用吸込具本体からなる床用吸込具とを備え、前記手元握りパイプは前記吸引管が接続される直管状の通気管と、前記通気管より上方でかつ後方方向に分岐する把手部を有し、前記床用吸込具本体を掃除面上に置いた状態で、前記接続パイプを掃除面と略平行になる状態まで傾動したときに、前記通気管も掃除面と略平行になる構成とした電気掃除機。
【請求項２】
手元握りパイプは、通気管と把手部とを一体成型した請求項１記載の電気掃除機。
【請求項３】
把手部は、通気管の上方に延びる延設部、前記延設部から後方に延びる把持部から構成され、前記把持部が、その後方側がホース側に向くように、前記延設部から屈曲もしくは湾曲させ形成した請求項１または２記載の電気掃除機。
【請求項４】
把手部を握り、吸引管を介して床用吸込具を前後移動させる使用状態では、把持部が、掃除面に対して前上がり状態になるように、延設部より屈曲もしくは湾曲させて形成した請求項１〜３のいずれか１項に記載の電気掃除機。
【発明の詳細な説明】
【技術分野】
【０００１】
本発明は、手元握りパイプを備えた電気掃除機に関するものである。
【背景技術】
【０００２】
従来の電気掃除機の構成を図４〜６により説明する。図４において、本体２は吸引用の電動送風機２２を内蔵し、電動送風機２２の前方には吸引した塵埃を蓄積する集塵室２３が形成されている。２４は集塵室２３に連通するよう本体２に着脱自在に接続される接続パイプで、可撓性を有するホース３の一端が接続されている。ホース３の他端には手元握りパイプ１が接続され、集塵室２３内と手元握りパイプ１とはホース３、接続パイプ２４を介して連通している。４は手元握りパイプ１に着脱自在に接続される吸引管で、吸引管４の先端には床用吸込具５が着脱自在に接続されている。
【０００３】
図５に示すように、手元握りパイプ１は、略くの字状に形成された屈曲管である通気管１０と、通気管１０の屈曲部分１２から上方に立ち上げた延設部１１と、延設部１１から後方（ホース３側）に通気管１０と略平行に延びる把持部８から構成され、延設部１１及び把持部８から把手部９を構成している。
【０００４】
把手部９は通気管１０の上方に一体に成形しており、上方の開口部を通気管蓋２６で閉塞している。延設部１１の内部には制御スイッチを実装した基板２５が配してあり、制御スイッチは通気管蓋２６を介して操作できるようにしていた。
【発明の開示】
【発明が解決しようとする課題】
【０００５】
しかしながら上記従来の手元握りパイプ１では、図６に示すように、吸引管４が掃除面と略平行になるまで、つまり略水平になるまで吸引管４を傾動させることができるフラット床用吸込具５’を使用する場合、手元握りパイプ１の把持部８を握った状態で吸引管４が掃除面に近づくように傾動させていく操作を行なう。つまり、把持部８が上方になるように握ったまま、把持部８を掃除面に近づけていく操作を行なうことで、使用者は把持部８が通気管１０より上方にある分、屈む量が少なくて済むが、通気管１０が屈曲管であるため、通気管１０とホース３との接続部を覆うホース包着部２０が、通気管１０が掃除面に当たる前に掃除面に当たってしまうので、吸引管４を掃除面と略平行、つまり略水平状態まで傾動できない。したがって、机やベッドの下などを掃除する場合に、床用吸込具を奥まで挿入すると吸引管４が机やベッドの下などにあたり、掃除作業性を悪化させていた。
【０００６】
本発明は上記問題を解消すべく、吸引管を水平状態まで傾動することができ、机やベッドの下などの掃除作業性を向上させることを目的とする。
【課題を解決するための手段】
【０００７】
上記目的を達成するために本発明は、電動送風機を内蔵する本体と、一端が前記本体に接続されるホースと、前記ホースの他端に設けられた手元握りパイプと、前記手元握りパイプに接続される吸引管と、前記吸引管の一端に接続される接続パイプ、前記接続パイプを後方に傾動自在に取り付けた床用吸込具本体からなる床用吸込具とを備え、前記手元握りパイプは前記吸引管が接続される直管状の通気管と、前記通気管より上方でかつ後方方向に分岐する把手部を有し、前記床用吸込具本体を掃除面上に置いた状態で、前記接続パイプを掃除面と略平行になる状態まで傾動したときに、前記通気管も掃除面と略平行になる構成としたもので、床用吸込具を、床用吸込具本体と、前記床用吸込具本体の後方に傾動自在に取り付け、吸引管の一端が接続される接続パイプで構成し、前記接続パイプは前記床用吸込具本体を掃除面上に置いた状態で掃除面と略平行な状態まで傾動可能としたので、吸引管を掃除面と略平行になる状態まで傾動しても、手元握りパイプの通気管は、直管状なので通気管も掃除面と略平行になり、手元握りパイプが吸引管の傾動を妨げることも防止できる。
【発明の効果】
【０００８】
本発明によれば、手元握りパイプを、接続パイプが掃除面と略平行な状態まで傾動可能とする床用吸込具を備えた電気掃除機に採用した場合、吸引管を掃除面と略平行になる状態まで傾動することができ、机やベッドの下などの掃除作業性を向上できる。
【発明を実施するための最良の形態】
【０００９】
本発明の請求項１記載の発明は、電動送風機を内蔵する本体と、一端が前記本体に接続されるホースと、前記ホースの他端に設けられた手元握りパイプと、前記手元握りパイプに接続される吸引管と、前記吸引管の一端に接続される接続パイプ、前記接続パイプを後方に傾動自在に取り付けた床用吸込具本体からなる床用吸込具とを備え、前記手元握りパイプは前記吸引管が接続される直管状の通気管と、前記通気管より上方でかつ後方方向に分岐する把手部を有し、前記床用吸込具本体を掃除面上に置いた状態で、前記接続パイプを掃除面と略平行になる状態まで傾動したときに、前記通気管も掃除面と略平行になる構成としたもので、床用吸込具を、床用吸込具本体と、前記床用吸込具本体の後方に傾動自在に取り付け、吸引管の一端が接続される接続パイプで構成し、前記接続パイプは前記床用吸込具本体を掃除面上に置いた状態で掃除面と略平行な状態まで傾動可能としたので、吸引管を掃除面と略平行になる状態まで傾動しても、手元握りパイプの通気管は、直管状なので通気管も掃除面と略平行になり、手元握りパイプが吸引管の傾動を妨げることも防止できる。また、通気管が直管であるため、金型の中子は直線状のものだけでよく、成型性を向上することができる。また、通気管には屈曲部もないため吸気の流れは滑らかであり吸込力を高く保つことができる。
【００１０】
本発明の請求項２記載の発明は、手元握りパイプは、通気管と把手部とを一体成型したものである。
【００１１】
本発明の請求項３記載の発明は、把手部は、通気管の上方に延びる延設部、前記延設部から後方に延びる把持部から構成され、前記把持部が、その後方側がホース側に向くように、前記延設部から屈曲もしくは湾曲させ形成したもので、把持部を握って吸引管を介して床用吸込具を押引操作する場合、吸引管は掃除面に対して傾いた状態であり、手元握りパイプの通気管も吸引管同様に傾いた状態となっているが、把持部はその後方側がホース側に向くように設けられているので、把持部は前述した状態では掃除面に対して略平行の位置、もしくはその位置より多少傾斜した位置となり、把持部を握る手に負担をかけることなく床用吸込具の押引操作が可能となる。
【００１２】
本発明の請求項４記載の発明は、把手部を握り、吸引管を介して床用吸込具を前後移動させる使用状態では、把持部が、掃除面に対して前上がり状態になるように、延設部より屈曲もしくは湾曲させて形成したもので、把持部を握ったときに手首が上向きになり、吸引管を前方に押し出し易くなる。なお、一般的な日本人の場合では、床用吸込具を掃除面に置いた状態で手元握りパイプの把持部が掃除面から８０ｃｍの高さ位置にある時が、吸引管を介して床用吸込具を前後移動させる使用状態である。したがって、把持部が掃除面から８０ｃｍの高さ位置にある時に把持部が掃除面に対して前上がり状に形成することで、直管状の通気管を使用した手元握りパイプであっても把持部を握ったときに手首が上向きになり、吸引管を前方に押し出し易くなる。
【００１３】
以下、本発明の実施の形態について、図面を参照しながら説明する。なお、この実施の形態によって本発明が限定されるものではない。
【００１４】
（実施の形態１）
以下、本発明の第１の実施の形態を図１〜２を用いて説明する。なお、従来の技術と同一部分については同一符号を付して、その説明を省略する。
【００１５】
手元握りパイプ２１は直管状に形成された通気管３０と通気管３０より上方かつ後方に分岐して形成した把手部を有する。把手部は通気管３０より上方に設けた延設部２１ａと延設部２１ａの後方よりホース３側に折曲して形成した把持部２８を有している。延設部２１ａと把持部２８は通気管３０と一体成型しても良いし、また、把持部２８自体を別体として通気管３０に取り付けるようにしても良い。延設部２１ａと把持部２８を通気管３０と一体成型する場合には、金型構成上、延設部２１ａと把持部２８の上方には開口部を設け、この開口部を蓋体３６で閉塞するようにする。延設部２１ａの上面は傾斜面とし、この傾斜面に操作部を設けている。操作部には電動送風機の運転・停止を設定する操作部などを配している。
【００１６】
延設部２１ａ内には操作部のための部品、例えばスイッチなどを実装した基板３５が配されており、延設部２１ａの上方開口部に向かってスイッチの操作部が位置し、上方開口を閉塞する蓋体３６の操作部を介して基板３５のスイッチの操作部が操作できるようにしている。通気管３０の後端にはホース３を接続するホース接続部３１が形成され、このホース接続部３１をホース３が包着している。さらに、ホース接続部３１に接続したホース３の一端部は筒状のホースカバー２７で覆われている。また、ホース３に設けた導電線３ａはホース接続部３１付近で基板３５に接続される導電線２９と電気的接続がなされており、ホースカバー２７と通気管３０の後端部との間に形成された空間を介して導電線２９がホース接続部３１側に導出するようにしている。
【００１７】
通気管３０において、前方側（吸引管４と接続する側）と後方側（ホースと接続する側）とでは、その管の軸心を前方の管軸心Ａに対し後方の管軸心Ｂを下方（掃除面側）にａだけずらしている。上述の通り、把持部２８はホース接続部３１の上方からホース３側に折曲しており、把持部２８を一方の手で握り持ったとき、この手の下にはホースカバー２７で覆われていないホース３が位置するように形成されている。
【００１８】
そして、図１に示すように、掃除面から約８０ｃｍの高さ位置で把持部２８を握り持つとき、把持部２８は前上がり状に形成してある。なお、掃除面から８０ｃｍの高さはというのは使用者がもっとも使用し易い標準的高さである。
【００１９】
上記構成による作用は以下の通りである。手元握りパイプ２１の通気管３０が直管状に形成してあるので、金型製造の際に中子は直線状のものだけでよく、金型費を抑えることができるため安価な製品を提供できる。また、屈曲部もないため、図２の矢印６に示すように吸気の流れは滑らかであり吸込力を高く保つことができる。さらに、図６に示す床用吸込具を使用する時にも吸引管４を掃除面と略平行になる位置まで傾動することができる。つまり、床用吸込具本体５’と、この床用吸込具本体５’の後方に傾動自在に取り付けた接続パイプ５’ａからなる床用吸込具を使用する場合、まず、接続パイプ５’ａに吸引管４の一端を接続する。吸引管４の他端に接続した手元握りパイプ２１を握り、その手元握りパイプ２１を掃除面側に近づけていくと、接続パイプ５’ａの傾動に伴い吸引管４が掃除面に近づくように倒れていく。そして、吸引管４が掃除面と略平行となる位置まで倒したとしても、手元握りパイプ２１の通気管３０が直管状であるので、手元握りパイプ２１の通気管３０の下部が掃除面と略平行となるまでに掃除面に当たってしまうことを防止できる。
【００２０】
また、通気管３０の後方側が下方（掃除面側）にずらして形成してあるので、ホース３を掃除面側にずらすことができ、掃除面側にずれる分だけ把持部２８の傾斜角度（通気管３０の軸心に対する把持部２８の傾斜角度）を大きくでき、押し操作を向上できると共に、把持部２８の傾斜角度を大きくしても把持部２８を握る手がホース３に触れることも防止できる。また、把持部２８の傾斜角度を同じにする場合には、把持部２８の最高点を前記ずれ分だけ掃除面側に下げることができ、手元握りパイプ１全体のボリューム感を小さくできる。
【００２１】
さらに、把持部２８を握った手の下にホースカバー２７で覆われていないホース３を位置させるため、使用時にはホース３が重力で掃除面側に垂れ下がり、把持部２８とホース３間の隙間が大きくなり、把持部２８とホース３の間隔を小さめに設定しても手がホース３に触れないため、握り感触を悪化させることがない。また床用吸込具５の向きを変えるためなど把持部２８を左右に振る操作を行っても、ホース３の振れの中心が把持部２８のほぼ真下に位置するためホースの振れ幅を小さくでき、使用感を向上できる。
【００２２】
そして、８０ｃｍの高さ位置で把持部２８を握り持つとき、把持部２８は前上がり状（図１に示すように角度θを設けている）に形成しているので、直管式の手元握りパイプ２１の使用時にも把持部２８を握ったときに手首が上向きになり、吸引管４を前方に押し出し易くなる。
【００２３】
（実施の形態２）
次に、本発明の第２の実施の形態を図３を用いて説明する。なお、上記第１の実施の形態と同一部分については同一符号を付して、その説明を省略する。
【００２４】
手元握りパイプ２１の直管状の通気管３２に吸気通路１２と排気通路１３を形成しており、通気管３２の前方側（吸引管側）は仕切板２２により吸気通路１２と排気通路１３を上下の２層に構成している。通気管３２の後方側（ホース３３側）は外ホース１４及びその内部に通す内ホース１５からなる２重構造のホース３３に接続する構成としている。
【００２５】
ホース３３の通気管３２への接続構造につき説明する。径小の内ホース接続部３４と内ホース接続部３４より径大な外ホース接続部３５を形成し、内ホース接続部３４の後方側は管状であり、前方側は通気管３２の仕切板２２で仕切られた下層側の排気通路１３に嵌合する形状に変形させている。また、外ホース接続部３５の後方側は管状であり、前方側は仕切板２２で仕切られた上層側の吸気通路１２に嵌合する形状に変形させ、これらホース接続部３４及び３５は通気管３２の後方に着脱自在に取り付けるホース着脱部１６を構成している。また、内ホース接続部３４は外ホース接続部３５より後方に突出することで、内ホース１５を内ホース接続部３４に接続し易くしている。外ホース接続部３５には外ホース１４が接続されるのであるが、外ホース１４に付設した導電線１４ａの先端にはコネクタ２８を取り付け、基板３５の導電線２９に設けたコネクタ２８と電気的に着脱自在に接続するようにしている。
【００２６】
また、手元握りパイプ２１の通気管３２の後端には係合部１９が形成され、この係合部１９に対応してホース着脱部１６の前端には係合爪１８が設けられ、手元握りパイプ２１とホース３３が着脱可能に形成されている。なお、ホース着脱部１６の外周はホースカバー２７で覆われており、ホースカバー２７内には導電線１４ａのコネクタ２８が配設されており、ホース着脱部１６を通気管３２から外すと、ホースカバー２７と共に導電線１４ａのコネクタ２８も外れる構成であり、電気接続も着脱自在に行なえるものである。
【００２７】
また、電動送風機２２の排気を床用吸込具５側に送り込む排気循環式電気掃除機とするためには、上述したようにホース３３を吸気通路と排気通路を構成できる２重構造とし、手元握りパイプ２１も同様に吸気通路と排気通路を構成すると共に、本体２にも電動送風機２２の排気をホース接続部側に導く排気通路が必要であり、吸引管４にも吸気通路以外に排気通路を構成する必要があり、本実施の形態の手元握りパイプ２１の構成であれば、吸引管４内を上下に仕切る仕切板を軸方向に延設して上下２層の吸引通路及び排気通路を構成する。なお、６は吸気の流れ、７は排気の流れを示す矢印である。
【００２８】
上記構成による作用は以下の通りである。手元握りパイプ２１の通気管３２の２層通路が直管状に形成してあるので、金型製造の際に中子は直線状のものでよく、通気管３２が屈曲管のものよりも金型費を抑えることができ、安価な製品を提供できる。また、手元握りパイプ２１のは使用性を考えると、手元握りパイプ２１の通気管３２をむやみに大きくできないので、吸気通路１２の大きさも制限を受ける。
【００２９】
その結果、吸気通路１２でゴミ詰まりを起こす場合もあるが、通気管３２が直管であるため、のぞき見ることによりゴミ詰まりを確認でき、詰まっている場合、細い棒体を差し込んで押し出すことも容易にできる。ゴミ詰まりを考慮して通気管３２の大きさをある程度大きく形成しても、通気管３２の上方に把手部を形成するので、把持部２８は通気管３２の大きさに左右されず握りやすい握り径を確保することができる。また、吸気通路１２内にはゴミが流れるが、排気通路１３にはゴミが捕集された後のゴミを含まない電動送風機２２の排気であるので、ゴミ詰まりを考慮しなくてすむ排気通路については、その断面積を吸気通路の断面積より小さくすることもでき、ゴミ詰まりを抑制するのを重視する設計であるならば、本実施の形態の吸気通路１２と排気通路１３とを入れ替えるようにして、重いゴミは下方の吸気通路に流し、またその断面積も多く取るように設計しても良い。
【００３０】
なお、吸気通路１２と排気通路１３の仕切り板２２は上下または左右どのように分けても良く、同心円筒状つまり２重管通路としても良い。また、吸気通路１２と排気通路１３は通気管３２内にともに配置されていれば、配置位置は上下左右、内外どのように配置しても良い。
【００３１】
また、手元握りパイプ２１とホース３３は着脱可能なため、吸気通路１２内にゴミ詰まりを起こしても、手元握りパイプ２１からホース３３を外し、細い棒体により手元握りパイプ２１の直管状の吸気通路１２あるいは、真っ直ぐにしたホース３３内を突ついてやることにより、より一層容易にゴミ詰まりを解消できる。なお、ホースの着脱構成として、手元握りパイプ２１に係合爪１８、ホース３３に係合部１９を設けるという組み合わせでもよく、手元握りパイプ２１とホース３３が着脱可能であればよい。
【産業上の利用可能性】
【００３２】
以上のように、本発明にかかる電気掃除機は、手元握りパイプを、接続パイプが掃除面と略平行な状態まで傾動可能とする床用吸込具を備えた電気掃除機に採用した場合、吸引管を掃除面と略平行になる状態まで傾動することができるので、机やベッドの下などの掃除作業に極めて有用である。
【図面の簡単な説明】
【００３３】
【図１】本発明の第１の実施の形態を示す電気掃除機の側面図
【図２】同電気掃除機の手元握りパイプの側面断面図
【図３】本発明の第２の実施の形態を示す電気掃除機の手元握りパイプの側面断面図
【図４】従来の電気掃除機の側面図
【図５】同電気掃除機の手元握りパイプの側面断面図
【図６】従来の床用吸込具および吸引管の側面図
【符号の説明】
【００３４】
２  本体
３  ホース
４  吸引管
５  床用吸込具
１２  吸気通路
１３  排気通路
２１  手元握りパイプ
２１ａ 延設部
２８  把持部
３０  通気管
３２  通気管
３３  ホース
【図１】
0003656641.tif 000002
【図２】
0003656641.tif 000003
【図３】
0003656641.tif 000004
【図４】
0003656641.tif 000005
【図５】
0003656641.tif 000006
【図６】
0003656641.tif 000007